(57)【特許請求の範囲】
【請求項１】
ＬＣ形アダプタに嵌合されるものであって、
嵌合時に前記アダプタの開口部の縁部に突起部が当接することで該突起部を外周部に一体に形成しているフロントハウジングが後方移動せしめられ、それにより前記フロントハウジングを移動自在に内側で支持するプラグフレームに内包されたフェルールの先端部が前記フロントハウジングの開口部から外部に突出する光コネクタプラグにおいて、
嵌合相手方のアダプタの開口部における横幅のうちの上部の狭い横幅の開口部に嵌合してガイドされるとともに、前記フロントハウジングの上部で当該フロントハウジング用のスプリングを収納する空間部を有して設けられたガイド部と、
前記狭い横幅の開口部の縁部に前記フロントハウジングの突起部が当接するように、前記ガイド部の前後方向の略中央部における側壁面に設けられた突起部と、を有してなること、
を特徴とする光コネクタプラグ。
【請求項２】
嵌合相手方のアダプタの開口部における横幅のうち、下部の広い横幅の開口部に摺接するフロントハウジングの側壁は、当該フロントハウジングの内部から外部へ光が漏出しない不透光の側壁であること、
を特徴とする請求項１に記載の光コネクタプラグ。
【発明の詳細な説明】
【技術分野】
【０００１】
本発明は、光ファイバケーブルの接続用端部に使用される光コネクタプラグに関するものである。
【背景技術】
【０００２】
従来、光コネクタプラグとして主に、ＬＣ形の開口部を有するアダプタに嵌合されるＬＣ形プラグは、特許文献１に記載されている様に、フェルールと該フェルールを前方に付勢する弾性部材を内包する筒状のプラグフレームと、当該プラグフレームの外側に摺接自在に囲繞される筒状のフロント（可動）ハウジングと、該フロント（可動）ハウジングの内壁に一端部が固定され前記フェルールの前位置で遮光する湾曲した遮光プレートと、前記プラグフレームの後方から嵌合される係止ハウジングと、からなるＬＣ形プラグが知られている。
【０００３】
前記ＬＣ形プラグにより、ＬＣ形アダプタと未接続時には、前記遮光プレートがフェルールからのレーザーを遮断して目等を保護し、接続時には前記フロントハウジングによって前記遮光プレートが湾曲状態から直線状態に延ばされて、フェルールが後方に移動されたフロントハウジングの開口端部から突出し、当該プラグ側のフェルールと接続相方のアダプタにおけるフェルールとが接続される。
【先行技術文献】
【特許文献】
【０００４】
【特許文献１】特開２０１１−１３６０６号公報
【発明の概要】
【発明が解決しようとする課題】
【０００５】
しかし、従来の光コネクタプラグ１５においては、遮光プレートはフロントハウジングの後方への移動によって直線状に延びて開かれ、このフロントハウジングは、接続相方のＬＣ形アダプタの開口部と接触して、挿入方向と反対方向に後退せしめられる。
【０００６】
このフロントハウジングの側壁面には、突起が設けられて、前記ＬＣ形アダプタの開口部に接触して後方に押される様になっているが、その突起の高さ寸法は、図９−Ａ、図９−Ｂに示すように、現存するあらゆるＬＣ形アダプタの、開口部形状に合わせて設定する必要があり、その条件に適切に設定することが困難となっている。
【０００７】
また、図９−Ｂに示すように、フック形成のためにニゲが必要となって開口部の一部における横幅寸法が大きくなるアダプタもある。このようなアダプタの開口形状の相違によって、ＬＣ形プラグの挿抜力にバラツキが出てしまうと言う課題がある。
【０００８】
更に、フロントハウジングの側壁に設ける突起には、嵌合時に内側へ待避させる際のバネ性を付与するために、スリット穴が必要となって、この穴があることで、外部への漏れ光が生じ遮蔽性能の低下、また、防塵性能の低下が課題となる。本発明に係る光コネクタプラグは、このような課題を解決するために提案されたものである。
【課題を解決するための手段】
【０００９】
本発明に係る光コネクタプラグの上記課題を解決して目的を達成するための要旨は、ＬＣ形アダプタに嵌合されるものであって、
嵌合時に前記アダプタの開口部の縁部に突起部が当接することで該突起部を外周部に一体に形成しているフロントハウジングが後方移動せしめられ、それにより前記フロントハウジングを移動自在に内側で支持するプラグフレームに内包されたフェルールの先端部が前記フロントハウジングの開口部から外部に突出する光コネクタプラグにおいて、
嵌合相手方のアダプタの開口部における横幅のうちの上部の狭い横幅の開口部に嵌合してガイドされるとともに、前記フロントハウジングの上部で当該フロントハウジング用のスプリングを収納する空間部を有して設けられたガイド部と、前記狭い横幅の開口部の縁部に前記フロントハウジングの突起部が当接するように、前記ガイド部の前後方向の略中央部における側壁面に設けられた突起部と、を有してなることである。
【００１０】
また、嵌合相手方のアダプタの開口部における横幅のうち、下部の広い横幅の開口部に摺接するフロントハウジングの側壁は、当該フロントハウジングの内部から外部へ光が漏出しない不透光の側壁であることを含むものである。
【発明の効果】
【００１１】
本発明の光コネクタプラグによれば、フロントハウジングの後退用の突起を、嵌合相手のアダプタの開口部の形状の相違に影響の無い場所に移して設けたので、突起寸法の設定が容易になるとともに、前記フロントハウジングの側壁面を不透光の側壁にしたので、漏れ光の発生が防止でき、防塵性が向上する、と言う優れた効果を奏するものである。
【図面の簡単な説明】
【００１２】
【図１】本発明に係る光コネクタプラグ１の、未接続状態の斜視図（Ａ）、接続時の遮光壁開状態の斜視図（Ｂ）である。
【図２】同本発明の光コネクタプラグ１の、未接続時の正面図（Ａ）、平面図（Ｂ）、側面図（Ｃ）、背面図（Ｄ）、底面図（Ｅ）、側面視した断面図（Ｆ）である。
【図３】同本発明の光コネクタプラグ１の、接続時の正面図（Ａ）、平面図（Ｂ）、側面図（Ｃ）、背面図（Ｄ）、底面図（Ｅ）、側面視した断面図（Ｆ）である。
【図４−Ａ】同本発明の光コネクタプラグ１の、フロントハウジング２の前方から見た斜視図（Ａ）、下方から見た斜視図（Ｂ）、後方から見た斜視図（Ｃ）である。
【図４−Ｂ】同本発明の光コネクタプラグ１の、フロントハウジング２の正面図（Ａ）、上から見た平断面図（Ｂ）、背面図（Ｃ）、側面から見た縦断面図（Ｄ）である。
【図５】同本発明の光コネクタプラグ１の、プラグフレーム３の前方から見た斜視図（Ａ）、後方から見た斜視図（Ｂ）、側面から見た縦断面図（Ｃ）、正面図（Ｄ）、背面図（Ｅ）、底面から見た縦断面図（Ｆ）である。
【図６】光コネクタプラグ１における係止用ハウジング５の、前方から見た斜視図（Ａ）、後方から見た斜視図（Ｂ）、正面図（Ｃ）、背面図（Ｄ）、側縦断面図（Ｅ）である。
【図７】同本発明に係る光コネクタプラグ１における、シャッター６の斜視図（Ａ）、同正面図（Ｂ）、側面図（Ｃ）、スプリング７の側面図（Ｄ）、スプリング８の側面図（Ｅ）、カシメリング９ａの斜視図（Ｆ）である。
【図８】従来例に係る光コネクタプラグ１５の、未接続状体の斜視図（Ａ）、接続状態の斜視図（Ｂ）である。
【図９−Ａ】パネル固定用の係止片が上下に設けられたＬＣ形アダプタ１１の開口部の形状を示す、平面図（Ａ）、正面図（Ｂ）、側面視した半断面図（Ｃ）、背面図（Ｄ）である。
【図９−Ｂ】パネル固定用の係止片が左右に設けられたＬＣ形アダプタ１３の開口部の形状を示す、平面図（Ａ）、正面図（Ｂ）、側面視した半断面図（Ｃ）、背面図（Ｄ）である。
【発明を実施するための形態】
【００１３】
本発明に係る光コネクタプラグ１は、図１に示すように、嵌合相手のアダプタ１１，１３（図９−Ａ、図９−Ｂを参照）によって後方へ移動するフロントハウジング２の突起２ａを、前記アダプタ１１，１３の開口部１２，１４における狭小幅の開口部１２ａ，１４ａに対して当接する様に設けたものである。
【実施例１】
【００１４】
本発明に係る光コネクタプラグ１は、主にＬＣ形の開口部を有するアダプタ若しくは光製品等に嵌合される、例えば、シャッター付きＬＣ形プラグなどのＬＣ形プラグである。該光コネクタプラグ１は、図９−Ａ、図９−Ｂにおいて示すパネル等に固定されるＬＣ形アダプタ１１，１３に嵌合されるものであって、嵌合時に前記ＬＣ形アダプタ１１，１３の開口部１２，１４の縁部に、図１（Ａ）に示すフロントハウジング２の突起部２ａが当接することで、該突起部２ａを外周部に一体に形成している前後方向に移動自在な筒状のフロントハウジング２が後方移動せしめられる。
【００１５】
それにより、図１（Ｂ）と図３に示すように、前記フロントハウジング２を移動自在に内側で支持するプラグフレーム３に内包されたフェルール４の先端部が、前記フロントハウジング２の開口部２ｂから外部に突出するものである。
【００１６】
以下、光コネクタプラグ１として、シャッター付きＬＣ形プラグを代表させてその各部品の構成について説明する。前記フロントハウジング２は、図４−Ａ、図４−Ｂに示すように、全体が四角形状で筒状の合成樹脂製ハウジングであり、側壁２ｃには嵌合時において後退する位置決めとなる位置決め突起２ｅが下部に設けられている。
【００１７】
また、フロントハウジング２の上部には、前記ＬＣ形アダプタ１１，１３（図９−Ａ、図９−Ｂを参照）の開口部１２，１４における狭小幅の開口部１２ａ，１４ａに嵌合してガイドされるガイド部２ｇが設けられ、その内部には、スプリング８収納用の空間部２ｆが形成されている。
【００１８】
更に、前記ガイド部２ｇの前後方向の略中央部に、嵌合相手のＬＣ形アダプタ１１，１３（図９−Ａ、図９−Ｂを参照）によって後方へ移動するために係合する突起部２ａが設けられている。これに伴い、側壁２ｃにおいては、突起などが無くなりバネ性を付与するために必要だった開口部も無くなって、不透光の側壁となっている。その結果、フロントハウジング２内部の空間より漏れ光が発生せず、防塵性も向上するものとなる。
【００１９】
前記プラグフレーム３は、図５（Ａ）〜（Ｆ）に示すように、全体が四角形状で筒状の合成樹脂製フレームであり、当該筒体の内部空間には、図２（Ｆ）に示すように、フェルール４支持部を突き当てて抜け出ないように支持するための、仕切り壁としての係合部３ａが形成されている。
【００２０】
また、後方の側壁には、前記プラグフレーム３と一体的に合体される係止用ハウジング５における、係合用ロック片５ａを係止する係止孔３ｂが、筒体内部に貫通して穿設されている。
【００２１】
前記係止用ハウジング５は、図６（Ａ）〜（Ｅ）に示すように、嵌合相手のＬＣ形アダプタ１１，１３に嵌合・装着させ、この光コネクタプラグ１を接続してロックするためのものである。
【００２２】
前記係止用ハウジング５の筒体における前方側の側壁には、図６（Ａ）に示すように、前記プラグフレーム３の係合孔３ｂに係合するロック片５ａが設けられている。これにより、前記プラグフレーム３がこの係止用ハウジング５に接続固定され、前記ロック片５ａによって前方への抜け止めとなる。
【００２３】
また、図６（Ａ），（Ｂ），（Ｅ）に示すように、この係止用ハウジング５の上部には、嵌合相手のＬＣ形アダプタにおける係合孔に係合する係止片５ｂが設けられ、その基部には、ツマミ部５ｄが形成されている。このツマミ部５ｄは弾性片であり、これを押し下げて前記係止片５ｂの係合を解除するものである。
【００２４】
前記係止用ハウジング５の中央部の筒体には、図６（Ｅ）に示すように、その上部にスプリング用収納孔５ｃが設けられている。更に、その下部の周囲には、フロントハウジング２収納用の収納孔５ｅが形成されている。この中央部の筒体の両側壁前端部に、図２、図３、図６（Ａ）に示すように、前後に移動するフロントハウジング２の前方への抜け止め作用する係止片５ｆが形成されている。
【００２５】
図７（Ａ）〜（Ｃ）に、シャッター６の形状を示す。また、図７（Ｄ）にフェルール４を前方に付勢するスプリング７の側面図、同図（Ｅ）にフロントハウジング２を前方に付勢するスプリング８の側面図、同図（Ｆ）にカシメリング９ａの斜視図をそれぞれ示す。
【００２６】
このようにして形成される光コネクタプラグ１において、前記フロントハウジング２の突起部２ａを設ける場所が、嵌合相手方のＬＣ形アダプタ１１，１３の開口部１２，１４における横幅のうち、上部の狭い横幅の開口部１２ａ，１４ａに当接するように、前記フロントハウジング２の上部に設けた前記ＬＣ形アダプタ１１，１３の狭い横幅の開口部１２ａ，１４ａに摺接する側壁面２ｄとなっている。
【００２７】
嵌合相手方のＬＣ形アダプタ１１，１３の開口部１２，１４における横幅のうち、下部の広い横幅の開口部１２ｂ，１４ｂに当接するフロントハウジング２の側壁２ｃには、当該フロントハウジング２を嵌合時に後退させる突起部を設けないとともに該フロントハウジング２内部から外部へ光が漏れないように、開口部を設けていない不透光の側壁となっている。
【００２８】
このような構成により、嵌合相手のアダプタ１１，１３の狭い横幅（３．４ｍｍ）の開口部１２ａ，１４ａによって、確実にフロントハウジング２が後方に移動されるとともに、開口部の形状が変化しないので突起２ａの設定が容易である。更に、突起２ａの高さに変化が無いので、挿抜力のバラツキが無くなる。
【産業上の利用可能性】
【００２９】
本発明に係る光コネクタプラグ１は、既存のＬＣ形アダプタ及びＬＣの開口部形状を持った光製品（光トランシーバ等）に対して適用することができるものである。
【符号の説明】
【００３０】
１          光コネクタプラグ、
２          フロントハウジング、                    ２ａ      突起部、
２ｂ        開口部、                                ２ｃ      側壁、
２ｄ        側壁面、                                ２ｅ      位置決め突起、
２ｆ        スプリング収納用空間部、                ２ｇ      ガイド部、  
３          プラグフレーム、                        ３ａ      係合部、
３ｂ        係止孔、  
４          フェルール、
５          係止用ハウジング、                       ５ａ      ロック片、
５ｂ        アダプタ用係止片、                  
５ｃ        スプリング用収納孔、                     ５ｄ      ツマミ部、
５ｅ        フロントハウジング用収納孔、    
５ｆ        フロントハウジング用係止片、  
６          シャッター、
７          スプリング（フェルール４用）、
８          スプリング（フロントハウジング２用）、
９          ブーツ、                                  ９ａ      カシメリング、
１１        ＬＣ形アダプタ、  
１２        開口部、                              
１２ａ      狭い横幅の開口部、
１２ｂ      広い横幅の開口部、
１３        ＬＣ形アダプタ、
１４        開口部、                            １４ａ    狭い横幅の開口部、
１４ｂ      広い横幅の開口部、
１５        従来例に係る光コネクタプラグ。
【図１】
0005988045.tif 000002
【図２】
0005988045.tif 000003
【図３】
0005988045.tif 000004
【図４−Ａ】
0005988045.tif 000005
【図４−Ｂ】
0005988045.tif 000006
【図５】
0005988045.tif 000007
【図６】
0005988045.tif 000008
【図７】
0005988045.tif 000009
【図８】
0005988045.tif 000010
【図９−Ａ】
0005988045.tif 000011
【図９−Ｂ】
0005988045.tif 000012